(57)【要約】      （修正有）【課題】どこでも使用でき、安全かつ迅速に麻酔導入できる小実験動物用吸入麻酔装置を提供する。【解決手段】空気ポンプ１と、サーマルマスフローコントローラ２と、揮発性麻酔薬の気化ユニット３と、設定流量のガスを流す呼吸回路４と、該呼吸回路の最下流に取り付けられた呼気弁５と、該呼吸回路内の圧力センサ６と、該呼吸回路より分岐し該呼気弁が閉じているときには一定の流量のガスを小動物に送気する手段、該呼吸回路内の圧力が設定圧力に達するか又は設定吸気時間が終了すると該呼気弁が開き小動物の呼気を麻酔ガスとともに大気に排気する手段、設定呼気時間が終了すると該呼気弁が閉じ吸気が小動物に送気される手段、及び電気信号に変換された一定ガス流量値と吸気時間を積算し小動物に送気する１回換気量を表示する手段とを備え、かつ条件により圧力規制方式と容量規制方式のいずれかに変換できる人工呼吸機能を備えたことを特徴とする。【選択図】図１
2005279218.tif 000002
【特許請求の範囲】
【請求項１】
空気を供給するための空気ポンプと、設定した空気流量の空気を流すためのサーマルマスフローコントローラと、揮発性麻酔薬を気化させる気化ユニットと、設定された一定の流量の麻酔ガスが流れる呼吸回路と、該呼吸回路の最下流に取り付けられた呼気弁と、該呼吸回路内の圧力を測定する圧力センサと、該呼吸回路より分岐して小動物の気管に接続し該呼気弁が閉じているときには一定の流量のガスが小動物に吸気として送気される手段、該呼吸回路内の圧力が設定された圧力に達するかあるいは設定された吸気時間が終了すると該呼気弁が開き小動物の呼気は一定流量のガスとともに大気に排気される手段、設定された呼気時間が終了すると該呼気弁が閉じ再び吸気が小動物に送気される手段、および電気信号に変換された前記の一定ガス流量値と吸気時間を掛け算することにより小動物に送気される１回換気量を計算し表示する手段とを備え、かつ使用条件により圧力規制方式と容量規制方式のどちらにでも自在に変換できる人工呼吸機能を備えたことを特徴とする小実験動物用吸入麻酔装置。
【請求項２】
揮発性麻酔薬の濃度を設定すると、サーマルマスフローコントローラにより制御された空気流量に対する必要な揮発性麻酔薬量を計算し、麻酔薬注入ポンプが、その計算された量を麻酔薬ボトルから吸引して気化室に滴下する気化器ユニットを備えたことを特徴とする請求項１に記載の小実験動物用吸入麻酔装置。
【請求項３】
気化室の気化効率を高めるため、気化室を加温することを特徴とする請求項２に記載の小実験動物用吸入麻酔装置。
【請求項４】
呼吸回路の吸気側に流路切り替え弁を設け、麻酔ガスを麻酔導入ボックスに流す手段を備えたことを特徴とする請求項１に記載の小実験動物用吸入麻酔装置。
【請求項５】
呼気弁出口および麻酔導入ボックス排気口に、揮発性麻酔薬を吸着するための吸着カラムを備えたことを特徴とする請求項４に記載の小実験動物用吸入麻酔装置。
【発明の詳細な説明】
【技術分野】
【０００１】  本発明は、動物に麻酔薬を吸入させて麻酔を施行するための麻酔装置に関するものであり、更に詳しくは、マウス等の小さな実験動物に対して、長時間にわたり安全に使用できる小実験動物用吸入麻酔装置に関するものである。
【背景技術】
【０００２】  従来、動物用の吸入麻酔装置としては、通常の人間用の吸入麻酔装置がそのまま使用されており、その構造は、ロータメータ式の流量計と、灯芯型の気化器を組合せたものがほとんどであった。（非特許文献１参照）。【０００３】  また、吸入ガスとしては、酸素と亜酸化窒素を混合したものをキャリアーガスとして流し、それにセボフルラン等の揮発性麻酔薬を気化させガス状にしたものを付加して吸入させていた。【０００４】  さらに、麻酔中には人工呼吸を行うことが必要になるが、従来は、モータの回転運動をクランク機構によって往復運動に変換し、ピストンを往復作動させることにより一定の容量のガスを小動物の肺に送り込む、いわゆる容量規定方式のものが使用されていた。（非特許文献２参照）。そして、人工呼吸器は、麻酔装置とは独立した装置として別個に存在しており、両者が一体となって組み合わされたものはなかった。
【非特許文献１】    株式会社シナノ製作所「実験動物麻酔装置」カタログ
【非特許文献２】    株式会社シナノ製作所「実験動物人工呼吸器」カタログ
【発明の開示】
【発明が解決しようとする課題】
【０００５】  しかしながら、従来の動物用吸入麻酔装置を使用するには、酸素および亜酸化窒素が供給されることが必要であるため、酸素および亜酸化窒素の供給配管がなされている部屋で使用するか、あるいは、酸素および亜酸化窒素ボンベを近くにおいて、そこからガス供給することが必要となり、どこでも簡単に使用することができなかった。【０００６】  また、小実験動物の場合は、人の場合と比べて、吸入ガス流量が極めて小さく、従来の灯芯型の気化器では、正確な麻酔薬濃度を得ることが困難であった。【０００７】  更に、容量規定方式の人工呼吸器は、通常は吸気時間対呼気時間比（Ｉ／Ｅ比）が１：１に固定されていた。また、Ｉ／Ｅ比を変更できるように工夫された人工呼吸器もあるが、構造が複雑になってしまい、コストアップするばかりでなく、Ｉ／Ｅ比をほぼ連続的に変化させることは困難であった。また、決められた容量のガスを強制的に肺に送り込むので、肺に過剰な圧力がかかってしまう危険性があった。さらに、小動物用人工呼吸器においては、４００回／分という呼吸回数で作動させることもあり、通常１０〜２０回／分という呼吸回数で使用される人間成人用の人工呼吸器とは異なり、可動部分の磨耗が早く、耐久性に問題があった。【０００８】  そこで発明者は、新しいコンセプトに基づく小動物用人工呼吸器を発明し、特許出願を行ったが（出願番号：特願２００４−７９２０３）、麻酔器と一体にすることが困難であり、また、吸入麻酔薬を使用して安全かつ迅速に麻酔を導入することができないという課題を有していた。
【課題を解決するための手段】
【０００９】  本発明は、前述の課題に鑑み、鋭意研鑽の結果得られたものである。すなわち、本発明は、空気を供給するための空気ポンプと、設定した流量の空気を流すためのサーマルマスフローコントローラと、揮発性麻酔薬を気化させる気化ユニットと、設定された一定の流量の麻酔ガスが流れる呼吸回路と、該呼吸回路の最下流に取り付けられた呼気弁と、該呼吸回路内の圧力を測定する圧力センサと、該呼吸回路より分岐して小動物の気管に接続し該呼気弁が閉じているときには一定の流量のガスが小動物に吸気として送気される手段、該呼吸回路内の圧力が設定された圧力に達するかあるいは設定された吸気時間が終了すると該呼気弁が開き小動物の呼気は一定流量のガスとともに大気に排気される手段、設定された呼気時間が終了すると該呼気弁が閉じ再び吸気が小動物に送気される手段、および電気信号に変換された前記の一定ガス流量値と吸気時間を積算することにより小動物に送気される１回換気量を計算し表示する手段とを備え、かつ使用条件により圧力規制方式と容量規制方式のどちらにでも自在に変換できる人工呼吸機能を備えたことを特徴とする小実験動物用吸入麻酔装置に関する。【００１０】  また本発明は、上記の小実験動物用吸入麻酔装置において、揮発性麻酔薬の濃度を設定すると、サーマルマスフローコントローラにより制御された空気流量に対する必要な揮発性麻酔薬量を計算し、麻酔薬注入ポンプが、その計算された量を麻酔薬ボトルから吸引して気化室に滴下する気化器ユニットを備えたものである。【００１１】  また本発明は、上記の小実験動物用吸入麻酔装置において、気化室の気化効率を高めるため、気化室を加温する手段を備えたものである。【００１２】  また本発明は、上記の小実験動物用吸入麻酔装置において、呼吸回路の吸気側に流路切り替え弁を設け、麻酔ガスを麻酔導入ボックスに流す手段を備えたものである。【００１３】  さらに本発明は、上記の小実験動物用吸入麻酔装置において、呼気弁出口および麻酔導入ボックス排気口に、揮発性麻酔薬を吸着させるための吸着カラムを備えたものである。
【発明の効果】
【００１４】  本発明の小実験動物用吸入麻酔装置は、キャリアーガスとして酸素および亜酸化窒素を必要とせず、内蔵された空気ポンプにより単独で麻酔を施行できるので、どこでも容易に使用することが可能である。また、サーマルマスフローコントローラを使用しているので、キャリアーガスとしての空気の流量を正確に規定できるとともに、微量の揮発性麻酔薬は、液体注入ポンプで正確に気化室に滴下され、約４０℃で加熱気化されるので、極めて精度の高い麻酔薬濃度が得られる。【００１５】  さらに、本発明の小実験動物用吸入麻酔装置は、麻酔ガス自身の流れにより作動する人工呼吸器機能が一体となって組み込まれており、呼吸回数が多くて１回換気量が少ないマウス等の小動物に対して、安全性が高く、呼吸回数、吸気時間対呼気時間比、および最大吸気圧力を設定すれば、呼吸ガス流量を調整するだけで、容量規定方式あるいは圧力規定方式のどちらとしても使用できるものであり、両方式の長所を生かしながらどちらにも自在に変換することを可能にする。【００１６】  そして、流路切り替え弁により、麻酔ガスを麻酔導入ボックスに流すことにより、麻酔ボックス内で小動物を、安全かつ迅速に麻酔導入することができる。【００１７】  更に、呼気弁および麻酔導入ボックスの排気口に麻酔薬を吸着するための吸着カラムを追加することにより、外気に麻酔薬を排気することがなく、安全に吸入麻酔を施行することができる。この様に本発明の小実験動物用吸入麻酔装置は、極めて有意義な効果を奏し、実用性の高いものである。
【発明を実施するための最良の形態】
【００１８】  以下、本発明の小実験動物用吸入麻酔装置の実施の形態を、図面によって具体的に説明する。【００１９】  図１は、本発明の小実験動物用吸入麻酔装置の実施の形態を説明するための配管系統図であり、図２は、切り替え弁と麻酔導入ボックスとを組み込んだ場合の配管系統図であり、図３は、呼気弁出口および麻酔導入ボックス排気口に、揮発性麻酔薬を吸着させるための吸着カラムを備えた場合の配管系統図であり、図４は、気化器ユニットの構成を示すものであり、図５は、呼気回路内圧力と各電磁弁の作動タイミングを示すものである。【００２０】  図１において、１は空気ポンプであり、２はサーマルマスフローコントローラであり、３は気化器ユニットであり、４は呼吸回路であり、５は呼気弁として機能する電磁弁であり、６は圧力センサであり、７は圧力センサのゼロ校正を行うための電磁弁であり、８は過剰圧を逃がすための電磁弁であり、９は小動物に接続する気管接続チューブであり、気管チューブあるいは気管切開チューブ（図示せず）を介して小動物の気管に接続される。【００２１】  次に、本発明による小実験動物用吸入麻酔装置の作動方法について説明する。空気ポンプ１は、小動物に清浄な空気を供給するためのものであり、例えばダイアフラム式ポンプのように、運転音が静かであり、オイルレスのものが好ましい。空気ポンプ１を運転することにより、空気が送り出され、サーマルマスフローコントローラ２により、小動物に送気する空気流量を設定された流量に正確に調整するとともに、サーマルマスフローコントローラ２より出力される流量値に吸気時間を積算することにより、１回換気量が計算される。設定された一定流量の空気が、気化器ユニット３に流され、気化器ユニット３において、セボフルラン等の揮発性麻酔薬が気化されて空気の流れに付加され、呼吸回路４を経由して呼気弁５へ流れる。【００２２】  呼気弁５は、非作動時には開状態であるところの３方電磁弁が使用され、作動時間が速くて耐久性に優れたものが好ましい。呼気弁５が作動して閉状態になると、麻酔ガスは小動物の気管の方に流れ、呼吸回路内圧が上昇する。【００２３】  呼吸回路４は呼気弁５の手前で分岐して、ゼロ校正用電磁弁７を通って圧力センサ６に接続しており、圧力センサ６により呼吸回路内圧力が常時測定されている。ゼロ校正用電磁弁７は、非作動時は開状態になっており呼吸回路４と圧力センサ６は連通しているが、作動状態になると呼吸回路４は閉状態になるとともに圧力センサ６が大気と連通することになり、ゼロ校正が行われる。通常は、電源投入時と、それ以後は４時間に１回ゼロ校正が自動的に行われる。【００２４】  呼吸回路４は供給ガス接続口に近いところで分岐して、過剰圧逃し弁８に接続している。過剰圧逃し弁８は非作動時は閉状態にあるところの２方電磁弁であり、呼吸回路内が過剰圧となったときに開状態となり、圧力を逃す安全弁としての役目をしている。【００２５】  本小実験動物用吸入麻酔装置においては、呼吸回数とＩ／Ｅ比を設定するようになっており、この両者から吸気時間および呼気時間が計算される。また本小実験動物用吸入麻酔装置に組み込まれている人工呼吸器においては、最大吸気圧力を設定するようにな��ており、吸気時には、呼気弁５が閉じ、呼吸ガスは、呼吸回路４、気管接続チューブ９を経由して、小動物の気管に送られるとともに、呼吸回路内の圧力が設定された最大吸気圧力に達するかあるいは設定された吸気時間が終了すると呼気弁５が開いて、呼気ガスは呼吸回路４を流れるガスとともに、大気に排出される。【００２６】  最大吸気圧力を設定すると、例えば設定値＋２ｃｍＨ２Ｏに上限警報値、設定値−２ｃｍＨ２Ｏに下限警報値が設定される。呼吸回路内圧が上限警報値以上になると、高圧警報が作動し、過剰圧逃し弁６が開く。また呼吸回路内圧が下限警報値以下になると、低圧警報が作動する。上下限警報設定値は、状況に合わせて±２ｃｍＨ２Ｏ以上にも設定できるようにした方がよい。【００２７】  一定流量で供給されるガス供給源より得られる電気信号に変換された流量値と吸気時間を積算することにより、小動物に送気される１回換気量を計算し表示する。呼吸回路内の圧力が設定された最大吸気  圧力に達することにより吸気が終了する場合は、呼吸回数とＩ／Ｅ比の設定値より計算された吸気時間には係わらずに、実際の吸気時間を計算に使用する。【００２８】  人工呼吸器は、大別して、吸気量を規定する容量規定方式と、気道にかかる圧力を規定する圧力規定方式とがあり、下表のように、それぞれ一長一短がある。
【表１】
2005279218.tif 000003
本発明による小実験動物用吸入麻酔装置に組み込まれている人工呼吸器は、最大吸気圧力を設定し、呼吸回路内圧が設定された最大吸気圧力に達すると吸気が終了して呼気に切換わるので、基本的には圧力規定方式をとっているが、定常流量値に吸気時間を積算することにより、１回換気量が計算され表示されており、設定された吸気時間中に呼吸回路内圧が最大吸気圧力に達しない場合は、１回換気量が一定に保たれることになり、容量規定方式となる。【００２９】  また、通常の圧力規定方式においては、一般に呼吸回路内圧が設定された最大吸気圧力に達するとそのままその圧力を維持させておき、設定された吸気時間が終了すると呼気に切換わるようにさせている。そのためには呼気弁として単なる開閉動作を行う電磁弁ではなく、連続的に開度を調節できる電空弁を使用する必要があり、また電空弁は非常に高価なものである。また圧力を維持させるためにはフィードバック自動制御手段が必要である。しかしながら、本発明による人工呼吸器は小動物用に限定しており、呼吸回数が通常６０〜２００回／分の範囲で使用されるので、吸気時間は０．５秒以下になっており、実質的には最大吸気圧力に維持する意味がない。この事情を鑑み、呼吸回路内圧が設定された最大吸気圧力に達すると直ちに吸気が終了して呼気に切換わるようにしたことにより、安価な電磁弁を使用することができるとともに、定常流量値に吸気時間を積算することにより１回換気量が計算できるというメリットを得ることができた。従来の圧力規定方式では、呼吸回路内圧を最大吸気圧力に維持するために呼吸ガスの１部を呼気弁からリークさせるので、定常流量値に吸気時間を掛けても正確な１回換気量を示すことができない。【００３０】  実際の使用にあたっては、次のような手順で設定を行うことになる。
（１）気管接続チューブ９の先端を閉鎖する。
（２）呼吸回数およびＩ／Ｅ比を設定する。
（３）最大吸気圧力を設定する。
（４）高圧警報が作動する場合は、定常流量を減らす。また、低圧警報が作動する場合は、定常流量を増やす。
（５）呼吸回路内圧が、最大吸気圧力±２ｃｍＨ２Ｏ以内に入っていることを確認するとともに、１回換気量表示の値が適正であることを確認する。
（６）気管接続チューブ９を、気管チューブ等を介して小動物に接続する。
（７）高圧警報が作動する場合は、定常流量を減らす。また、低圧警報が作動する場合は、定常流量を増やす。
（８）呼吸回路内圧が最大吸気圧力±２ｃｍＨ２Ｏ以内に入っていることを確認するとともに、１回換気量表示の値が適正であることを確認する。
（９）圧力規制方式で作動しているときに容量規制方式に変更したい場合は、定常流量を減らすか、あるいは最大吸気圧力の設定を高くする。
（１０）容量規制方式で作動しているときに圧力規制方式に変更したい場合は、定常流量を増やすか、あるいは最大吸気圧力の設定を低くする。【００３１】  呼吸回路内圧が設定した最大吸気圧力に達しない場合は、肺コンプライアンスが変化しない限り一定の１回換気量が送気されるので容量規定方式である。また呼吸回路内圧が設定した最大吸気圧力に達して吸気から呼気に切換わる場合は、圧力規定方式となるが、その場合でも１回換気量の計算値は表示される。容量規定方式で作動していても、小動物の肺の状態が変化してコンプライアンスが小さくなると、呼吸回路内圧は設定された最大吸気圧に達するようになり、圧力規定方式に変換する。このとき最大吸気圧の設定を高くするかあるいは定常流量を減らすことにより、再び容量規定方式に戻すことができる。【００３２】  図２は、呼吸回路４の過剰圧逃し弁８へ分岐する点と、気管接続チューブ９へ分岐する点との間に、流路切り替え弁１０を設け、麻酔ガスを麻酔導入ボックス１１へ流すことができるようにした場合の配管系等図である。図１と共通な部分は、同一の番号が付されている。【００３３】  小動物に吸入麻酔を導入するのは容易ではない。人の場合は、静脈に麻酔薬を注入するか、あるいはマスクを用いて麻酔ガスを吸入させて麻酔を導入することも可能であるが、小動物の場合は、どちらの方法も困難である。そこで、麻酔導入ボックスを設け、小動物をここに入れてほぼ密閉状態にし、麻酔ガスをこのボックスに流せるようにしたので、小動物は自然に麻酔ガスを吸うこととなり、安全かつ迅速に麻酔導入ができる。すなわち、呼吸回路４の過剰圧逃し弁８へ分岐する点と、気管接続チューブ９へ分岐する点との間に、流路切り替え弁１０を設け、流路切り替えスイッチを「人工呼吸」にセットすると、麻酔ガスは呼気弁５の方に流れ人工呼吸機能を行うものとし、流路切り替えスイッチを「麻酔導入」にセットすると、麻酔ガスは麻酔導入ボックス１１の方に流れる。麻酔導入ボックスは、この中に小実験動物を入れ、麻酔ガスを吸わせるようにしたものであり、麻酔ガスの流入口および排気口を備え、小実験動物の様子が目視できるように、透明プラスチック製であることが好ましい。【００３４】  図３は、呼気弁５の出口および麻酔導入ボックス１１の排気口に、揮発性麻酔薬を吸着させるための吸着カラム１２、１３を備えた場合の配管系統図である。図２と共通な部分は、同一の番号が付されている。小実験動物の場合は、分時換気量が少ないので、麻酔ガスの漏れはそれほど大きくはないが、本装置を使用する場所の換気が悪かったり、あるいは長時間使用する場合には、セボフルラン等の揮発性麻酔薬を除去する必要がある。本小実験動物用吸入麻酔装置においては、呼気弁５の出口と、麻酔導入ボックス１１の排気口より麻酔ガスが外気に捨てられるので、それぞれに吸着カラムを取り付ける必要がある。吸着カラムには、通常活性炭が充填されるが、麻酔薬を除去できる吸着剤であれば、他のものでもよい。【００３５】  図４は気化器ユニット３の一例を示したものであり、サーマルマスフローコントローラ２の下流に位置し、セボフルラン等の揮発性麻酔薬を気化させてガス状にし、空気と一緒に小動物に送気するこ��により、麻酔を施行しながら人工呼吸を行うことができる。３ａは麻酔薬ボトルであり、３ｂは麻酔薬注入ポンプであり、３ｃは気化室であり、３ｄは麻酔ガス濃度モニタであり、３ｅは気化器ユニット入り口であり、３ｆは気化器ユニット出口である。【００３６】  セボフルラン等の揮発性麻酔薬の濃度を設定すると、サーマルマスフローコントローラ２によりコントロールされた空気流量に対してどのくらいの量の揮発性麻酔薬を注入すればよいかは計算で求められるので、麻酔薬注入ポンプ３ｂは、その計算された量を麻酔薬ボトル３ａより吸込んで、気化室３ｃに滴下する。気化室３ｃにおいて気化が行われるので、気化熱により温度が下がり気化効率が低下するのを防ぐために、熱伝導のよい金属材料で作られることが必要であり、更にヒーターで約４０℃に加温することが望ましい。また、例えば赤外線吸収タイプの麻酔ガス濃度モニタ３ｄにより麻酔薬濃度が正しく維持されているかどうかを確認することができるが、必ずしも必要なものではない。【００３７】  従来は、キャリアーガスとして酸素および亜酸化窒素が使用されていたが、本小実験動物用吸入麻酔装置においては、サーマルマスフローコントローラを使用しているので、流量を正確に規定できるとともに、微量の揮発性麻酔薬は、液体注入ポンプで正確に気化室に滴下され、約４０℃で加熱気化されるので、極めて精度の高い麻酔薬濃度が得られる。また、１回換気量が小さく呼吸回数が多い小動物の人工呼吸を安全確実に実施できる人工呼吸機能を実現できたことにより、補助的な麻酔効果のある亜酸化窒素と、換気量不足による低酸素状況を補うための酸素を必要としなくなったので、キャリアーガスとして空気を使用することが可能となった。【００３８】  図５は、電磁弁の開閉状態と、呼吸回路内圧の関係を示したものである。横軸は時間を示しており、Ｔｉは吸気時間、Ｔｅは呼気時間を示し、Ｔｉ＋Ｔｅは１回の呼吸時間であり、呼吸回数をＲＲ（回／分）とすると、６０／ＲＲで示される。縦軸は呼吸回路内圧を示し、また最大吸気圧の練は、設定された最大吸気圧力を示す。【００３９】  図５において、一番左の圧力波形は、呼吸回路内圧力が吸気時間中に設定された最大吸気圧力に達しない場合であり、人工呼吸器は容量規定方式で作動している。次の圧力波形は、呼吸回路内圧力が吸気時間中に設定された最大吸気圧力に達して呼気弁が開いた場合であり、人工呼吸器は圧力規定方式で作動している。その次の圧力波形は、呼吸回路内圧力が吸気時間中に設定された最大吸気圧力以上になり、さらに上限警報値である設定最大吸気圧力＋２ｃｍＨ２Ｏに達して安全弁が開いた場合を示している。このときは高圧アラームが作動する。また一番右の圧力波形は、呼吸回路内圧力が吸気時間中に下限警報値である設定最大吸気圧力−２ｃｍＨ２Ｏに達しない場合であり、このときは低圧アラームが作動する。
【産業上の利用可能性】
【００４０】  本発明の小実験動物用吸入麻酔器は、マウス等の小さな実験動物に対して安全に長時間にわたって麻酔できるものであり、更には一体として組み込まれている人工呼吸器によって人工呼吸を行いながら麻酔を施行できる吸入麻酔装置として好適に利用できるものである。
【図面の簡単な説明】
【００４１】
【図１】  本発明の小実験動物用吸入麻酔器の実施の形態を説明するための配管系統図である。
【図２】  流路切り替え弁と麻酔導入ボックスを内蔵した場合の配管系統図である。
【図３】  呼気弁出口および麻酔導入ボックス排気口に、揮発性麻酔薬を吸着させるための吸着カラムを内蔵した場合の配管系統図である。
【図４】  気化器ユニットの構成を示すものである。
【図５】  呼気回路内圧力と各電磁弁の作動タイミングを示すものである。
【符号の説明】
【００４２】  １      空気ポンプ
２      サーマルマスフローコントローラ
３      気化ユニット
３ａ    麻酔薬ボトル
３ｂ    麻酔薬注入ポンプ
３ｃ    気化室
３ｄ    麻酔ガス濃度モニタ
３ｅ    気化器ユニット入口
３ｆ    気化器ユニット出口
４      呼吸回路
５      呼気弁
６      圧力センサ
７      ゼロ校正用電磁弁
８      過剰圧逃し弁
９      気管接続チューブ
１０    流量切り替え弁
１１    麻酔導入ボックス
１２    吸着カラム
１３    吸着カラム
【図１】
2005279218.tif 000004
【図２】
2005279218.tif 000005
【図３】
2005279218.tif 000006
【図４】
2005279218.tif 000007
【図５】
2005279218.tif 000008